(57)【特許請求の範囲】
【請求項１】
楽器ケース内に設けられた鍵盤部と、
前記鍵盤部を開閉可能に覆うために、前蓋と後蓋とを連結部によって折り曲げ可能に連結した鍵盤蓋と、
前記前蓋の前部に設けられて前記前蓋の側方に突出する前ガイド軸と、
前記後蓋の前部に設けられて前記後蓋の側方に突出する後ガイド軸と、
前記前ガイド軸および前記後ガイド軸を前記楽器ケースの前後方向にガイドするとともに、前記前蓋と前記後蓋とが前記鍵盤部を覆って閉じた際に、前記後ガイド軸が落ち込むことにより前記前蓋と前記後蓋とを同一平面上に配置させるためのガイド凹部が設けられているガイド溝と、
を有することを特徴とする鍵盤装置。
【請求項２】
請求項１に記載の鍵盤装置において、前記ガイド溝は前記鍵盤部の前側の上部から前側の下部に向けて垂下する垂下部を有し、
前記ガイド凹部の落ちこみ量は、前記前蓋の前ガイド軸が垂下部を垂下移動したときに応じて生ずる前記後蓋の後ガイド軸の垂下移動量によって決定されることを特徴とする鍵盤装置。
【請求項３】
請求項１または請求項２に記載の鍵盤装置において、前記後ガイド軸は、前記側方に突出する突出長さが前記前ガイド軸の突出長さよりも短く形成されており、
前記ガイド溝は、その側方の深さが前記前ガイド軸の突出長さとほぼ同じ深さに形成されており、
前記ガイド凹部は、その側方の深さが前記後ガイド軸の突出長さとほぼ同じ深さで形成されていることを特徴とする鍵盤装置。
【請求項４】
請求項１〜請求項３のいずれかに記載の鍵盤装置において、前記前蓋は、前記楽器ケースの前後方向の長さが、前記後蓋の前後方向の長さよりも短く形成されていることを特徴とする鍵盤装置。
【請求項５】
請求項１〜請求項４のいずれかに記載の鍵盤装置において、前記前蓋と前記後蓋とが前記鍵盤部を覆って閉じる際に、前記前ガイド軸を前記前蓋の開く方向に向けて弾力的に付勢する付勢部材を備えていることを特徴とする鍵盤装置。
【請求項６】
請求項１〜請求項５のいずれかに記載の鍵盤装置において、前記鍵盤蓋を開閉する際に、前記後蓋の後端部を上下方向にガイドするガイド機構部を備えていることを特徴とする鍵盤装置。
【請求項７】
請求項１〜請求項６のいずれかに記載の鍵盤装置において、前記鍵盤蓋を開閉する際に、前記後蓋の後端部における上下方向への移動を制動する制動部材を備えていることを特徴とする鍵盤装置。
【発明の詳細な説明】
【技術分野】
【０００１】
この発明は、電子ピアノなどの鍵盤装置に関する。
【背景技術】
【０００２】
例えば、鍵盤楽器においては、特許文献１に記載されているように、前蓋と後蓋とを連結部によって折り曲げ可能に連結した鍵盤蓋によって、楽器ケース内に設けられた鍵盤部を開閉可能に覆うように構成されたものが知られている。
【先行技術文献】
【特許文献】
【０００３】
【特許文献１】特開２００９−１４５７１１号公報
【０００４】
このような鍵盤楽器における鍵盤蓋の開閉装置は、前蓋の前部に設けられて前蓋の側方に突出する前ガイド軸と、後蓋の前部に設けられて上下方向に弾力的に変位する変位取付部と、この変位取付部に取り付けられて後蓋の側方に突出する後ガイド軸と、前ガイド軸および後ガイド軸を楽器ケースの前後方向にガイドする共通ガイド溝とを備えている。
【０００５】
この共通ガイド溝の前部には、鍵盤部前側の上方から下方に向けて垂下する垂下部が形成され、鍵盤蓋が完全に閉まる直前に、前ガイド軸がこの垂下部によってガイドされ、その結果鍵盤部の前部を覆い隠すようになっている。
【０００６】
また、このような鍵盤蓋の開閉装置は、前ガイド軸と後ガイド軸とが共通ガイド溝に挿入してガイドされるようになっている。このため、鍵盤蓋が開閉する際には、この前ガイド軸と後ガイド軸との両方が共通ガイド溝によってガイドされるため、両方のガイド軸を一つのガイド溝を用いて移動することができる。
【０００７】
鍵盤蓋が閉まる直前には、前ガイド軸は共通ガイド溝の垂下部にガイドされて垂下移動を行う。これにつられて、後ガイド軸も同様に垂下移動を行う。しかしながら、このとき後ガイド軸をガイドする共通ガイド溝には後ガイド軸の垂下移動を行わせる垂下形状がない。したがって、この後ガイド軸の垂下移動量を吸収するための構造を必要としていた。
【０００８】
特許文献１では、このために、変位取付部という垂下移動量を吸収するための構造を有することにより、後ガイド軸の垂下移動を行わせ、鍵盤蓋を閉じる直前に、鍵盤蓋の重量によって変位取付部が上下方向に変位して、前蓋と後蓋とが同一平面上に配置されるように構成するようにしていた。
【発明の概要】
【発明が解決しようとする課題】
【０００９】
しかしながら、このような鍵盤蓋の開閉装置では、前ガイド軸と後ガイド軸とが共通ガイド溝に挿入してガイドされる構成であるから、後蓋の後ガイド軸を後蓋に対して上下方向に変位させるための変位取付部を備えていなければ、前蓋と後蓋とが鍵盤部を覆って閉じた際に、前蓋の後部と後蓋の前部とが浮き上がるように折れ曲がり、前蓋と後蓋とを同一平面上に配置させることができない。
【００１０】
このため、この鍵盤蓋の開閉装置では、構造が煩雑で複雑になるばかりか、前ガイド軸と後ガイド軸とを共通ガイド溝によってガイドする際に、変位取付部によって後蓋が上下方向に弾力的に変位するため、鍵盤蓋の開閉動作が不安定になるなどの問題がある。
【００１１】
この発明が解決しようとする課題は、簡単な構造で、鍵盤蓋を安定した状態で円滑に開閉することができる鍵盤装置を提供することである。具体的には、前ガイド軸が共通ガイドの垂下部によって垂下移動を行うときに発生する後ガイド軸の垂下移動量を安定して吸収する構造を実現するものである。
【課題を解決するための手段】
【００１２】
この発明は、楽器ケース内に設けられた鍵盤部と、前記鍵盤部を開閉可能に覆うために、前蓋と後蓋とを連結部によって折り曲げ可能に連結した鍵盤蓋と、前記前蓋の前部に設けられて前記前蓋の側方に突出する前ガイド軸と、前記後蓋の前部に設けられて前記後蓋の側方に突出する後ガイド軸と、前記前ガイド軸および前記後ガイド軸を前記楽器ケースの前後方向にガイドするとともに、前記前蓋と前記後蓋とが前記鍵盤部を覆って閉じた際に、前記後ガイド軸が落ち込むことにより前記前蓋と前記後蓋とを同一平面上に配置させるためのガイド凹部が設けられているガイド溝と、を有することを特徴とする鍵盤装置である。
【発明の効果】
【００１３】
この発明によれば、鍵盤蓋の前蓋と後蓋とを開閉する際に、前蓋の前ガイド軸と後蓋の後ガイド軸とをガイド溝によって円滑にガイドすることができると共に、鍵盤蓋が鍵盤部を覆って閉じた際に、後ガイド軸をガイド溝のガイド凹部に落とし込んで配置することができるので、前蓋の後部と後蓋の前部とが浮き上がるように折れ曲がることがなく、前蓋と後蓋とを同一平面上に配置することができる。このため、変位取付部などの特殊な部品を必要とせず、簡単な構造で、鍵盤蓋を安定した状態で円滑に開閉することができる。
【図面の簡単な説明】
【００１４】
【図１】この発明を鍵盤楽器に適用した一実施形態を示した断面図である。
【図２】図１に示された鍵盤楽器のＡ−Ａ矢視における断面図である。
【図３】図１に示された鍵盤楽器において鍵盤蓋を開いて鍵盤部を楽器ケースの上側に露呈させた状態を示した断面図である。
【図４】図３に示された鍵盤楽器におけるガイド溝を示した要部の拡大側面図である。
【図５】図４に示されたガイド溝のＢ−Ｂ矢視における断面を示し、（ａ）はそのガイド溝のガイド凹部の上方を前蓋の前ガイド軸が通過する状態を示した拡大断面図、（ｂ）そのガイド溝のガイド凹部に後蓋の後ガイド軸が落ち込んだ状態を示した拡大断面図である。
【図６】図３に示された鍵盤楽器において前蓋を開く方向に付勢する付勢部材を示した拡大平面図である。
【図７】図１に示された鍵盤楽器において鍵盤蓋が開き始めた状態を示した断面図である。
【図８】図７に示された鍵盤楽器において鍵盤蓋が折れ曲がって楽器ケース内の後部に移動する状態を示した断面図である。
【発明を実施するための形態】
【００１５】
以下、図１〜図８を参照して、この発明を鍵盤楽器に適用した一実施形態について説明する。
この鍵盤楽器は、図１〜図３に示すように、楽器ケース１を備えている。この楽器ケース１は、前側上部（図１では左側上部）が開放された横長（図１では紙面の表裏面方向に長い横長）のほぼ箱形状の形成されている。
【００１６】
すなわち、この楽器ケース１は、図１〜図３に示すように、底板２と、この底板２の前端部（図１では左端部）に起立して設けられた前板３と、底板２の後端部（図１では右端部）に起立して設けられた後板４と、底板２の左右両側部（図１では紙面の表裏面方向の両側部）に起立して設けられた一対の側板５と、この一対の側板５の上部および後板４の上部に設けられた天板６とを備えている。
【００１７】
この場合、前板３は、図１〜図３に示すように、後板４の高さのほぼ半分程度の高さで形成されている。また、一対の側板５は、その前端部が前板３よりも少し高く形成され、前後方向（図１では左右方向）におけるほぼ中間部から後部側の高さが後板４と同じ高さに形成され、前端部から中間部に位置する箇所の上辺部が後部上がり（図１では右上がり）に傾斜する傾斜部５ａに形成されている。
【００１８】
天板６は、図１〜図３に示すように、一対の側板５におけるほぼ中間部から後部側（図１では右側部）に位置する上部と後板４の上部とに跨った状態で設けられている。これにより、楽器ケース１は、一対の側板５における傾斜部５ａに対応する前側上部（図１では左側上部）が開放された横長のほぼ箱形状の形成されている。
【００１９】
この楽器ケース１内には、図１〜図３に示すように、鍵盤部１０が設けられている。この鍵盤部１０は、楽器ケース１の底部２上に配置された鍵盤シャーシ１１と、この鍵盤シャーシ１１上に上下方向に回転可能な状態で並列に配列された複数の鍵１２とを備えている。この鍵盤部１０は、図３に示すように、複数の鍵１２が楽器ケース１の前部側から上方に露呈し、この状態で押鍵操作されるように構成されている。また、この楽器ケース１内には、コンソールパネル１３が鍵盤部１０の後部に位置する上側から天板６の前部の下側に向けて傾斜して設けられている。
【００２０】
また、この楽器ケース１内には、図１〜図３に示すように、鍵盤部１０の上側を開閉可能に覆う鍵盤蓋１４の開閉装置１５が設けられている。この場合、鍵盤蓋１４は、前蓋１６と後蓋１７とを有し、この前蓋１６と後蓋１７とが蝶番などの連結部１８によって折り曲げ可能に連結された構成になっている。また、この鍵盤蓋１４は、後蓋１７の前後方向（図１では左右方向）の長さが、前蓋１６の前後方向の長さよりも少し長く形成されている。
【００２１】
一方、鍵盤蓋１４の開閉装置１５は、図１〜図３に示すように、鍵盤蓋１４を開閉可能にガイドするガイド溝２０と、鍵盤蓋１４の後端部を上下方向にガイドするガイド機構部２１とを備えている。この場合、鍵盤蓋１４の前蓋１６の前端下部には、前ガイド軸２３が側板５の内面に向けて突出した状態で、支持部２３ａによって設けられている。後蓋１７の前端下部には、後ガイド軸２４が側板５の内面に向けて突出した状態で、支持部２４ａによって設けられている。
【００２２】
ガイド溝２０は、図３および図４に示すように、前蓋１６の前ガイド軸２３と後蓋１７の後ガイド軸２４とが移動可能に挿入する溝であり、側板５に埋め込まれた金属板２０ａに形成されている。このガイド溝２０は、鍵盤部１０の前側の上方から前板３の上部に向けて垂下する垂下部を有し、鍵盤部１０の前側の上方からコンソールパネル１３の上側に向けて斜め上方に傾斜した上、楽器ケース１の後板４に向けてほぼ水平に連続して形成されている。
【００２３】
この場合、後蓋１７の後ガイド軸２４は、図５（ａ）および図５（ｂ）に示すように、その側方に突出する突出長さ、つまり側板５の内面に向けて後蓋１７の側面から突出する突出長さが、前蓋１６の前ガイド軸２３の突出長さよりも短く形成されている。このため、ガイド溝２０は、その側方の深さ、つまり側板５の内面から外面に向かう厚み方向の深さが、前蓋１６の前ガイド軸２３の突出長さとほぼ同じ深さで形成されている。
【００２４】
また、このガイド溝２０の傾斜部分における中間部には、図１に示すように、鍵盤蓋１４が鍵盤部１０を覆って閉じた際に、図４および図５に示すように、後蓋１７の後ガイド軸２４が落ち込むガイド凹部２５が設けられている。このガイド凹部２５の落ち込み量は、前蓋１６が垂下部を垂下移動したときに応じて生じる後蓋１７の垂下移動量によって決定される。
【００２５】
また、このガイド凹部２５は、図１、図４、および図５に示すように、その側方の深さ、つまり側板５の内面から外面に向かう厚み方向の長さが、後蓋１７の後ガイド軸２４の突出長さとほぼ同じ深さで、ガイド溝２０よりも浅く形成されている。
【００２６】
前蓋１６の前ガイド軸２３が垂下部を垂下移動したときに、同時に後蓋１７の後ガイド軸２４のガイド凹部２５の落ち込み量だけ垂下移動するが、ガイド凹部２５の深さ（垂下移動量）が前述のように設定されていることによって、図１に示すように、前蓋１６の上面と後蓋１７の上面とが同一平面となり得る。
【００２７】
すなわち、このガイド凹部２５は、図１および図５（ｂ）に示すように、前蓋１６と後蓋１７とが鍵盤部１０を覆って閉じた際に、後蓋１７の後ガイド軸２４が落ち込んで配置されることにより、前蓋１６と後蓋１７とが前下りに傾斜した状態で、同一平面上に配置されて全体がほぼ平板状をなすように構成されている。
【００２８】
また、この楽器ケース１内における前部には、図１、図３、および図６に示すように、前蓋１６と後蓋１７とが鍵盤部１０を覆って閉じる際に、前蓋１６の前ガイド軸２３を押し上げる方向に弾力的に付勢する付勢部材２６が設けられている。この付勢部材２６は、ねじりコイルばねであり、そのコイル部が楽器ケース１の側板５に設けられた取付軸２７に取り付けられている。
【００２９】
すなわち、この付勢部材２６は、図３および図６に示すように、取付軸２７に取り付けられたコイル部の一端部が側板５に対して固定され、他端部である先端部２６ａが前板３の上方に向けて延出された構成になっている。これにより、付勢部材２６は、その先端部２６ａが前ガイド軸２３に下側から弾接することにより、前ガイド軸２３を弾力的に押し上げて、前蓋１６を開く方向に向けて付勢するように構成されている。
【００３０】
ところで、ガイド機構部２１は、図１〜図３に示すように、鍵盤蓋１４が開閉する際に、前蓋１６に対して連結部１８で折り曲がりながら移動する後蓋１７の後端部を上下方向にガイドするように構成されている。この場合、後蓋１７の後端部には、連結部材２２が設けられている。この連結部材２２は、後蓋１７の後端部に設けられた取付板２８ａと、この取付板２８ａに回転可能に取り付けられた取付軸２８ｂとを備えている。
【００３１】
ガイド機構部２１は、図１〜図３に示すように、鍵盤部１０の後端部の上部付近に位置する箇所の側板５の内面に固定部２９によって取り付けられた支持軸３０と、この支持軸３０に一端部が回転自在に取り付けられ、且つ他端部が連結部材２２の取付軸２８ｂに取り付けられたアーム部３１と、このアーム部３１に取り付けられた回転軸３４と、この回転軸３４に回転自在に取り付けられるピニオンギア３２と、このピニオンギア３２が噛み合って移動する円弧状のラックギア３５とを備えている。
【００３２】
この場合、楽器ケース１の側板５には、図２に示すように、補強板３３を介して金属板３８が埋め込まれている。回転軸３４は、図１〜図３に示すように、側板５の内面に向けて突出し、この突出した先端部が金属板３８に形成された円弧溝３７内に挿入してガイドされるように構成されている。この円弧溝３７は、支持軸３０を中心とする半円弧状に形成されている。ラックギア３５は、円弧溝３７と同様、支持軸３０を中心として円弧溝３７の半径よりも短い半径で、金属板３８に半円弧状に形成されている。
【００３３】
これにより、ガイド機構部２１は、図１に示すように、鍵盤蓋１４が鍵盤部１０を覆って閉じた状態のときに、ピニオンギア３２がラックギア３５の上端部に噛み合って位置すると共に、回転軸３４が円弧溝３７の上端部に位置することにより、連結部材２２を介して後蓋１７の後端部を押し上げ、この後蓋１７の後ガイド軸２４をガイド溝２０のガイド凹部２５に落とし込んで、前蓋１６と後蓋１７とを連続する同一面上に配置するように構成されている。
【００３４】
また、このガイド機構部２１は、図３に示すように、鍵盤蓋１４が楽器ケース１内の後部側に向けて移動して鍵盤部１０を上側に開放する際に、後蓋１７が前蓋１６に対して連結部１８で徐々に折れ曲がりながら、ピニオンギア３２がラックギア３５に噛み合って上端部から下端部に移動すると共に、回転軸３４が円弧溝３７に沿って上端部から下端部に移動することにより、後蓋１７の後端部を連結部材２２と共に鍵盤シャーシ１１の後端下部に移動させ、後蓋１７の後ガイド軸２４をガイド溝２０の後端部に移動させて、後蓋１７を前蓋１６に対しほぼ直角に折り曲げた状態にするように構成されている。
【００３５】
一方、このガイド機構部２１は、図１〜図３に示すように、鍵盤蓋１４を開閉する際に、後蓋１７の後端部における上下方向への移動を制動する制動部材３６を備えている。この制動部材３６は、ねじりコイルばねであり、コイル部が支持軸３０の外周に配置され、このコイル部の一端部がアーム部３１に取り付けられ、他端部が側板５に設けられて支持軸３０を固定する固定部２９に取り付けられている。
【００３６】
これにより、この制動部材３６は、アーム部３１が支持軸３０を中心に回転して、ほぼ水平方向に位置する状態のときに、アーム部３１に対して負荷をほとんど付与しないニュートラル状態になり、このニュートラル状態よりもアーム部３１が上側に移動する際に、アーム部３１に対して後蓋１７を開く方向の負荷を付与し、ニュートラル状態よりもアーム部３１が下側に移動する際に、アーム部３１に対して後蓋１７を閉じる方向の負荷を付与るように構成されている。
【００３７】
すなわち、この制動部材３６は、アーム部３１が支持軸３０を中心に回転して、ニュートラル状態よりも上側に向けて移動する状態のときに、アーム部３１を押し下げる方向の負荷が徐々に増加して、後蓋１７の閉じる方向への移動力を徐々に重くし、図１に示すように、アーム部３１の先端部が最も上側に移動した際に、アーム部３１を押し下げる方向の負荷が最大になり、後蓋１７の閉じる方向への移動力を最も重くするように構成されている。
【００３８】
また、この制動部材３６は、アーム部３１が支持軸３０を中心に回転して、ニュートラル状態よりも下側に向けて移動する状態のときに、アーム部３１を押し上げる方向の負荷が徐々に増加して、後蓋１７の開く方向への移動力を徐々に重くし、図３に示すように、アーム部３１の先端部が最も下側に移動した際に、アーム部３１を押し上げる方向の負荷が最大になり、後蓋１７の開く方向への移動力を最も重くするように構成されている。
【００３９】
次に、この鍵盤楽器における鍵盤蓋１４の開閉装置１５の作用について説明する。
鍵盤蓋１４を開いて鍵盤部１０を上側に開放する場合には、鍵盤蓋１４の前蓋１６の前端部を持ち上げながら、鍵盤蓋１４を楽器ケース１の後部に向けて移動させる。このときには、付勢部材２６の付勢力によって前蓋１６の前ガイド軸２３が弾力的に最も強く押し上げられていると共に、制動部材３６によってアーム部３１が押し下げられる方向の負荷が最も高く付与されているので、軽い力で鍵盤蓋１４が楽器ケース１の後部側に向けて移動を開始する。
【００４０】
このように、鍵盤蓋１４が楽器ケース１の後部側に向けて移動を開始すると、図７に示すように、前蓋１６の前ガイド軸２３がガイド溝２０に沿って前端部から後部側に向けて移動すると共に、後蓋１７の後ガイド軸２４がガイド溝２０のガイド凹部２５内からガイド溝２０内に向けて移動する。このように、前蓋１６の前ガイド軸２３がガイド溝２０に沿って移動すると、前蓋１６の前ガイド軸２３に対する付勢部材２６の付勢力が徐々に低下する。
【００４１】
また、このときには、図７に示すように、後蓋１７のピニオンギア３２がラックギア３５に噛み合って上端部から下側に向けて移動すると共に、回転軸３４が円弧溝３７に沿って上端部から下側に向けて移動し、このピニオンギア３２および回転軸３４の移動に伴って、アーム部３１が支持軸３０を中心に時計回りに回転する。このため、制動部材３６は、図７に示すように、アーム部３１を押し下げる方向の負荷が徐々に低下する。これにより、鍵盤蓋１４を開く方向に移動させる移動力が徐々に重くなる。
【００４２】
この後、鍵盤蓋１４が更に楽器ケース１の後部側に向けて移動すると、前蓋１６と後蓋１７とが連結部１８で折れ曲がりながら、前蓋１６がガイド溝２０に沿って斜め上方に向けて移動すると共に、後蓋１７が後部下がりに傾斜しながら斜め下側に移動する。そして、前蓋１６の前ガイド軸２３がガイド溝２０の中間部付近に到達した際には、図５（ａ）に示すように、前蓋１６の前ガイド軸２３が後蓋１７の後ガイド軸２４よりも長いので、前ガイド軸２３がガイド溝２０のガイド凹部２５に落ち込むことがなく、ガイド溝２０内を移動する。
【００４３】
また、このときには、図８に示すように、後蓋１７の後ガイド軸２４がガイド溝２０に沿って後部側に向けて移動すると共に、後蓋１７のピニオンギア３２がラックギア３５に噛み合って上下方向の中間部付近に移動し、これに伴って回転軸３４が円弧溝３７に沿って上下方向の中間部付近に移動する。このときには、アーム部３１も上下方向の中間部付近に位置してほぼ水平な状態になる。このため、制動部材３６は、アーム部３１に負荷をほとんど付与しないニュートラル状態になる。
【００４４】
この状態で、鍵盤蓋１４が更に楽器ケース１の後部側に向けて移動すると、図８に示すように、前蓋１６と後蓋１７とが連結部１８でほぼ直角になるように折り曲げながら、前蓋１６が天板６の下側に移動し、この前蓋１６の前ガイド軸２３がガイド溝２０における天板６の前端部に対応する箇所に移動すると共に、後蓋１７が後板４に向けて斜めに垂れ下がるように移動して、後蓋１７の後ガイド軸２４がガイド溝２０の後端部に移動する。
【００４５】
このときには、図３に示すように、ガイド機構部２１のピニオンギア３２がラックギア３５に噛み合って下端部に移動すると共に、回転軸３４が円弧溝３７に沿って下端部に移動し、これに伴って後蓋１７の後端部が連結部材２２と共に鍵盤シャーシ１１の後端下部に向けて移動する。これにより、アーム部３１は上下方向の中間部付近から下側に向けて移動する。
【００４６】
このため、制動部材３６はニュートラル状態を通過してアーム部３１を押し上げる方向に付与する負荷が徐々に増大し、アーム部３１の先端部が下端部に到達した際に、アーム部３１を押し上げる制御部材３６の負荷が最大となる。これにより、後蓋１７が急激に降下するのを防ぎ、鍵盤蓋１４の急激な開き動作を制動して、安全に鍵盤蓋１４を開くことができる。
【００４７】
一方、鍵盤蓋１４を閉じて鍵盤部１０を覆う際には、まず、図３に示すように、鍵盤蓋１４の前蓋１６の前端部を楽器ケース１の前側に向けて引き出す。このときには、後蓋１７の後端部が連結部材２２を介して制動部材３６によって押し上げられているので、軽い力で鍵盤蓋１４を楽器ケース１の前側に向けて移動させることができる。すなわち、制動部材３６はアーム部３１を押し上げる負荷が最大になっているので、この制動部材３６によるアーム部３１の押上げ力によって後蓋１７がその自重よりも軽い力で移動する。
【００４８】
このように鍵盤蓋１４が楽器ケース１の前側に向けて移動する際には、図８に示すように、前蓋１６と後蓋１７とが連結部１８で徐々に広がる方向に折れ曲がりながら、前蓋１６の前ガイド軸２３がガイド溝２０に沿って楽器ケース１の前側に向けて移動すると共に、後蓋１７が後板４に沿って斜めに上側に向けて移動しながら、後蓋１７の後ガイド軸２４がガイド溝２０に沿って楽器ケース１の前側に向けて移動する。
【００４９】
このときには、図８に示すように、ガイド機構部２１のピニオンギア３２がラックギア３５に噛み合って下端部から上側に向けて移動すると共に、回転軸３４が円弧溝３７に沿って下端部から上側に向けて移動し、これに伴って連結部材２２が後蓋１７の後端部を押し上げる。これにより、アーム部３１は反時計回りに回転し、制動部材３６がニュートラル状態に向かい、アーム部３１を押し上げる負荷が徐々に低下する。このため、鍵盤蓋１４を閉じる方向に移動させる移動力が徐々に重くなる。
【００５０】
このように、鍵盤蓋１４が楽器ケース１の前側に向けて移動して、前蓋１６の前ガイド軸２３がガイド溝２０の中間部付近に移動すると、図８に示すように、前蓋１６と後蓋１７とが連結部１８で更に広がる方向に折れ曲がり、後蓋１７の後ガイド軸２４がガイド溝２０に沿って楽器ケース１の前側に向けて移動し、後蓋１７が天板６に向けて傾斜しながら引き上げられる。
【００５１】
このときには、図８に示すように、ガイド機構部２１のピニオンギア３２がラックギア３５に噛み合って下側から中間部付近に移動すると共に、回転軸３４が円弧溝３７に沿って下側から中間部付近に移動し、これに伴って連結部材２２が後蓋１７の後端部を更に押し上げる。これにより、アーム部３１は更に反時計回りに回転し、制動部材３６がアーム部３１に負荷をほとんど付与しないニュートラル状態になる。
【００５２】
この後、鍵盤蓋１４が更に楽器ケース１の前側に移動すると、図５（ａ）に示すように、前蓋１６の前ガイド軸２３がガイド溝２０に沿って楽器ケース１の前側に向けて移動し、この前ガイド軸２３がガイド溝２０のガイド凹部２５に到達しても、このガイド凹部２５に落ち込むことなく、前ガイド軸２３がガイド凹部２５の上方をガイド溝２０に沿って通過する。このときには、前蓋１６と後蓋１７とが連結部１８で更に広がる方向に折れ曲がり、後蓋１７の後ガイド軸２４がガイド溝２０に沿って移動してガイド凹部２５に接近し、後蓋１７が天板６とほぼ平行な状態になるように引き上げられる。
【００５３】
また、このときには、ガイド機構部２１のピニオンギア３２がラックギア３５に噛み合って中間部付近から上側に向けて移動すると共に、回転軸３４が円弧溝３７に沿って中間部付近から上側に向けて移動し、これに伴って連結部材２２が上側に移動して後蓋１７の後端部を更に押し上げる。これにより、アーム部３１が更に反時計回りに回転し、制動部材３６がニュートラル状態を通過し、アーム部３１を押し下げる方向に付与する負荷が徐々に増大する。
【００５４】
そして、鍵盤蓋１４が更に楽器ケース１の前側に向けて移動し、図７に示すように、前蓋１６の前ガイド軸２３がガイド溝２０に沿って移動して、前板３に接近すると、前ガイド軸２３に付勢部材２６による付勢力が付与され、この付勢部材２６の付勢力によって鍵盤蓋１４の移動力が徐々に重くなる。このときには、後蓋１７の後ガイド軸２４がガイド溝２０のガイド凹部２５に落ち込みを開始し、前蓋１６と後蓋１７とが前下がりに傾斜した状態で、ほぼ同一平面に配置される。
【００５５】
この状態で、鍵盤蓋１４が更に楽器ケース１の前側に向けて移動し、図１に示すように、前蓋１６の前ガイド軸２３がガイド溝２０の前端部に移動して、前板３上に当接する際には、前ガイド軸２３に対する付勢部材２６の付勢力が最も重くなり、前蓋１６がゆっくり閉じるので、鍵盤蓋１４で手や指を挟むことなく、安全に鍵盤蓋１４を閉じることができる。このときには、図５（ｂ）に示すように、後蓋１７の後ガイド軸２４がガイド溝２０のガイド凹部２５に落ち込み、前蓋１６と後蓋１７とが前下がりに傾斜した状態で、平板状になって同一平面に配置される。
【００５６】
また、このときには、図１に示すように、ガイド機構部２１のピニオンギア３２がラックギア３５に噛み合って上端部に移動すると共に、回転軸３４が円弧溝３７に沿って上端部に移動し、これに伴って連結部材２２が上側に移動して後蓋１７の後端部を最も高く押し上げる。これにより、アーム部３１は支持軸３０を中心に反時計回りに回転してほぼ垂直に起立し、制動部材３６がアーム部３１を押し下げる方向に付与する負荷が最大になる。
【００５７】
このため、支持軸３０を中心に回転するアーム部３１の回転が最も重くなり、これによっても後蓋１７が閉じる方向に向けて急激に移動するのを防ぎ、鍵盤蓋１４の急激な閉じ動作を制動する。このように、付勢部材２６による付勢力と制動部材３６による制動力とによって、鍵盤蓋１４が急激に閉じて手や指を挟むことがなく、安全に鍵盤蓋１４を閉じることができる。
【００５８】
このように、この鍵盤楽器における鍵盤蓋１４の開閉装置１５によれば、前蓋１６の前部に設けられて前蓋１６の側方に突出する前ガイド軸２３と、後蓋１７の前部に設けられて後蓋１７の側方に突出する後ガイド軸２４と、前ガイド軸２３および後ガイド軸２４を楽器ケース１の前後方向にガイドするガイド溝２０とを備え、このガイド溝２０には、前蓋１６と後蓋１７とが鍵盤部１０を覆って閉じた際に、後ガイド軸２４が落ち込んで前蓋１６と後蓋１７とを同一平面上に配置するためのガイド凹部２５が設けられていることにより、簡単な構造で、鍵盤蓋１４を安定した状態で円滑に開閉することができる。
【００５９】
すなわち、この鍵盤蓋１４の開閉装置１５では、鍵盤蓋１４を開閉する際に、前蓋１６の前ガイド軸２３と後蓋１７の後ガイド軸２４とをガイド溝２０によって円滑にガイドすることができると共に、鍵盤蓋１４が鍵盤部１０を覆って閉じた際に、後ガイド軸２４をガイド溝２０のガイド凹部２５に落とし込むことができるので、前蓋１６の後部と後蓋１７の前部とが浮き上がるように折れ曲がることがなく、前蓋１６と後蓋１７とを同一平面上に配置することができる。このため、変位取付部などの特殊な部品を必要とせず、簡単な構造で、鍵盤蓋１４を安定した状態で円滑に開閉することができる。
【００６０】
この場合、後ガイド軸２４は、後蓋１７の側方に突出する突出長さが前ガイド軸２３の突出長さよりも短く形成されており、ガイド溝２０は、前ガイド軸２３の軸方向である側方の深さが前ガイド軸２３の突出長さとほぼ同じ深さに形成されており、ガイド凹部２５は、後ガイド軸２４の軸方向である側方の深さが後ガイド軸２４の突出長さとほぼ同じ深さで形成されていることにより、鍵盤蓋１４を開閉する際に、前ガイド軸２３と後ガイド軸２４とをガイド溝２０によって円滑にガイドすることができると共に、鍵盤蓋１４が鍵盤部１０を覆って閉じた際に、後蓋１７の後ガイド軸２４をガイド凹部２５に確実に落とし込むことができ、これにより簡単な構造で、前蓋１６と後蓋１７とを同一平面上に良好に配置することができる。
【００６１】
また、この鍵盤蓋１４の前蓋１６は、楽器ケース１の前後方向の長さが後蓋１７の前後方向の長さよりも短く形成されていることにより、鍵盤蓋１４を開いて鍵盤部１０を上側に開放した際に、前蓋１６の上方に位置する楽器ケース１の天板６の前後方向の長さを短くすることができ、且つこの前蓋１６に対して後蓋１７がほぼ直角に折り曲げられた状態で楽器ケース１の後板４に沿って配置されるので、楽器ケース１全体をコンパクトに構成することができる。
【００６２】
すなわち、前蓋１６が後蓋１７よりも短いことにより、楽器ケース１の前後方向の長さを短くすることができる共に、この前蓋１６に対して後蓋１７をほぼ直角に折り曲げて鍵盤部１０の後部に接近させることができるので、後蓋１７の前後方向の長さが前蓋１６の前後方向の長さよりも長くても、楽器ケース１の前後方向の長さを短くすることができ、これにより楽器ケース１全体をコンパクトに構成することができる。
【００６３】
また、この鍵盤蓋１４の開閉装置１５によれば、前蓋１６と後蓋１７とが鍵盤部１０を覆って閉じる際に、前ガイド軸２３を前蓋１６の開く方向に向けて弾力的に付勢する付勢部材２６を備えていることにより、前蓋１６の前端部を持ち上げて鍵盤蓋１４を開く際に、付勢部材２６の付勢力によって鍵盤蓋１４を軽い力で開くことができ、また鍵盤蓋１４を閉じる際に、付勢部材２６の付勢力が前蓋１６を開く方向に向けて付勢して、鍵盤蓋１４の閉じる方向への移動を遅くすることができ、これにより演奏者が指や手を挟んで怪我をしないように、安全に鍵盤蓋１４を開閉することができる。
【００６４】
また、この鍵盤蓋１４の開閉装置１５では、鍵盤蓋１４を開閉する際に、後蓋１７の後端部を上下方向にガイドするガイド機構部２１を備えていることにより、鍵盤蓋１４を開く際に、ガイド機構部２１によって後蓋１７の後端部を上端部から下端部に向けて円滑に且つ良好にガイドすることができると共に、鍵盤蓋１４を閉じる際に、ガイド機構部２１によって後蓋１７の後端部を下端部から上端部に向けて円滑に且つ良好にガイドすることができる。
【００６５】
この場合、ガイド機構部２１は、楽器ケース１の側板５の内面に対して設けられた支持軸３０と、この支持軸３０に一端部が回転自在に取り付けられ、且つ他端部が後蓋１７の後端部に連結部材２２を介して取り付けられたアーム部３１と、このアーム部３１に取り付けられた回転軸３４と、この回転軸３４に回転可能に取り付けられたピニオンギア３２と、このピニオンギア３２が噛み合って移動する円弧状のラックギア３５とを備えていることにより、後蓋１７の後端部を確実に且つ良好にガイドすることができる。
【００６６】
すなわち、このガイド機構部２１は、鍵盤蓋１４を開閉する際に、アーム部３１が支持軸３０を中心に回転すると共に、このアーム部３１に回転軸３４を介して回転自在に取り付けられたピニオンギア３２がラックギア３５に噛み合って回転移動するので、後蓋１７の後端部を一定の移動軌跡に沿って円滑に且つ確実に移動させることができると共に、後蓋１７の後端部を鍵盤部１０の後端下部に接近させて配置することができ、これにより後蓋１７の後端部を良好にガイドすることができると共に、鍵盤蓋１４を楽器ケース１内にコンパクトに収納することができる。
【００６７】
また、ガイド機構部２１には、鍵盤蓋１４を開閉する際に、後蓋１７の後端部における上下方向への移動を制動する制動部材３６を備えているので、ガイド機構部２１が後蓋１７の後端部を一定の移動軌跡に沿って移動させる際に、制動部材３６によって鍵盤蓋１４の動作を良好に制動することができ、これにより鍵盤蓋１４を安全に開閉することができる。
【００６８】
この場合、制動部材３６は、ねじりコイルばねであり、コイル部が支持軸３０の外周に配置され、このコイル部の一端部がアーム部３１に取り付けられ、他端部が側板５に設けられた固定部２９に取り付けられ、この状態でアーム部３１が支持軸３０を中心に回転して、ほぼ水平方向に移動した状態のときに、アーム部３１に負荷をほとんど付与しないニュートラル状態になるように構成されているので、後蓋１７の移動を制動しながら、鍵盤蓋１４を円滑に且つ良好に開閉させることができる。
【００６９】
すなわち、この制動部材３６によれば、鍵盤蓋１４が鍵盤部１０を覆って閉じる際に、ピニオンギア３２がラックギア３５に噛み合って下端部から中間部付近に向けて移動すると共に、回転軸３４が円弧溝３７の下端部から中間部付近に向けて移動すると、制動部材３６がアーム部３１を押し上げるように負荷を付与するので、鍵盤蓋１４を軽い力で移動させることができる。
【００７０】
また、この制動部材３６では、鍵盤蓋１４が鍵盤部１０を覆って閉じる際に、ピニオンギア３２がラックギア３５に噛み合って中間部付近から上端部に向けて移動すると共に、回転軸３４が円弧溝３７の中間部付近から上端部に向けて移動すると、制動部材３６がアーム部３１を押し下げる方向に負荷を付与するので、鍵盤蓋１４の閉じる動作を遅くして鍵盤蓋１４をゆっくり移動させることができ、これにより鍵盤蓋１４を安全に閉じることができる。
【００７１】
また、この制動部材３６では、鍵盤蓋１４を開いて鍵盤部１０を上側に開放する際に、後蓋１７が前蓋１６に対して連結部１８で徐々に折れ曲がりながら、ピニオンギア３２がラックギア３５に噛み合って上端部から中間部付近に向けて移動すると共に、回転軸３４が円弧溝３７に沿って上端部から中間部付近に向けて移動すると、制動部材３６がアーム部３１を押し下げるように負荷を付与するので、鍵盤蓋１４を軽い力で開くことができる。
【００７２】
さらに、この制動部材３６では、鍵盤蓋１４を開いて鍵盤部１０を上側に開放する際に、後蓋１７が前蓋１６に対して連結部１８で徐々に折れ曲がりながら、ピニオンギア３２がラックギア３５に噛み合って中間部付近から下端部に向けて移動すると共に、回転軸３４が円弧溝３７に沿って中間部付近から下端部に向けて移動すると、制動部材３６がアーム部３１を押し上げるように負荷を付与するので、鍵盤蓋１４の閉じる動作を遅くして鍵盤蓋１４をゆっくり移動させることができ、これにより鍵盤蓋１４を安全に閉じることができる。
【００７３】
また、ガイド機構部２１は、後蓋１７の後端部に連結部材２２を介して連結されているので、この連結部材２２によってアーム部３１の長さを最小限に短くすることができ、これにより後蓋１７の後端部の移動軌跡をコンパクトにすることができる。すなわち、連結部材２２は、後蓋１７の後端部に取り付けられてアーム部３１の支持軸３０に向けて突出しているので、この連結部材２２の突出した長さだけ、後蓋１７の後端部から支持軸３０までの長さを短くすることができる。
【００７４】
これにより、このガイド機構部２１によれば、連結部材２２によってアーム部３１の長さを短くして、円弧状のラックギア３５および円弧溝３７の各半径を小さくすることができるので、ガイド機構部２１をコンパクトに構成することができると共に、楽器ケース１全体のコンパクト化を図ることができる。
【００７５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７６】
（付記）
請求項１に記載の発明は、前蓋と後蓋とを連結部によって折り曲げ可能に連結した鍵盤蓋によって、楽器ケース内に設けられた鍵盤部を開閉可能に覆う鍵盤蓋の開閉装置において、前記前蓋の前部に設けられて前記前蓋の側方に突出する前ガイド軸と、前記後蓋の前部に設けられて前記後蓋の側方に突出する後ガイド軸と、前記前ガイド軸および前記後ガイド軸を前記楽器ケースの前後方向にガイドするガイド溝とを備え、前記ガイド溝には、前記前蓋と前記後蓋とが前記鍵盤部を覆って閉じた際に、前記後ガイド軸が落ち込むことにより前記前蓋と前記後蓋とを同一平面上に配置するためのガイド凹部が設けられていることを特徴とする鍵盤蓋の開閉装置である。
【００７７】
請求項２に記載の発明は、請求項１に記載の鍵盤蓋の開閉装置において、前記ガイド溝は前記鍵盤部の前側の上部から前側の下部に向けて垂下する垂下部を有し、
前記ガイド凹部の落ち込み量は、前記前蓋の前記前ガイド軸が前記垂下部を垂下移動したときに応じて生じる前記後蓋の前記後ガイド軸の垂下移動量によって決定されることを特徴とする鍵盤蓋の開閉装置である。
【００７８】
請求項３に記載の発明は、請求項１また請求項２に記載の鍵盤蓋の開閉装置において、前記後ガイド軸は、前記側方に突出する突出長さが前記前ガイド軸の突出長さよりも短く形成されており、前記ガイド溝は、その側方の深さが前記前ガイド軸の突出長さとほぼ同じ深さに形成されており、前記ガイド凹部は、その側方の深さが前記後ガイド軸の突出長さとほぼ同じ深さで形成されていることを特徴とする鍵盤蓋の開閉装置である。
【００７９】
請求項４に記載の発明は、請求項１〜請求項３のいずれかに記載の鍵盤蓋の開閉装置において、前記前蓋は、前記楽器ケースの前後方向の長さが、前記後蓋の前後方向の長さよりも短く形成されていることを特徴とする鍵盤蓋の開閉装置である。
【００８０】
請求項５に記載の発明は、請求項１〜請求項４のいずれかに記載の鍵盤蓋の開閉装置において、前記前蓋と前記後蓋とが前記鍵盤部を覆って閉じる際に、前記前ガイド軸を前記前蓋の開く方向に向けて弾力的に付勢する付勢部材を備えていることを特徴とする鍵盤蓋の開閉装置である。
【００８１】
請求項６に記載の発明は、請求項１〜請求項５いずれかに記載の鍵盤蓋の開閉装置において、前記鍵盤蓋を開閉する際に、前記後蓋の後端部を上下方向にガイドするガイド機構部を備えていることを特徴とする鍵盤蓋の開閉装置である。
【００８２】
請求項７に記載の発明は、請求項１〜請求項６のいずれかに記載の鍵盤蓋の開閉装置において、前記鍵盤蓋を開閉する際に、前記後蓋の後端部における上下方向への移動を制動する制動部材を備えていることを特徴とする鍵盤蓋の開閉装置である。
【符号の説明】
【００８３】
１  楽器ケース
１０  鍵盤部
１１  鍵盤シャーシ
１２  複数の鍵
１４  鍵盤蓋
１５  開閉装置
１６  前蓋
１７  後蓋
１８  連結部
２０  ガイド溝
２１  ガイド機構部
２２  連結部材
２３  前ガイド軸
２４  後ガイド軸
２５  ガイド凹部
２６  付勢部材
３０  支持軸
３１  アーム部
３２  ピニオンギア
３４  回転軸
３５  ラックギア
３６  制動部材
３７  円弧溝
【図１】
0005516646.tif 000002
【図２】
0005516646.tif 000003
【図３】
0005516646.tif 000004
【図４】
0005516646.tif 000005
【図５】
0005516646.tif 000006
【図６】
0005516646.tif 000007
【図７】
0005516646.tif 000008
【図８】
0005516646.tif 000009